(57)【要約】  【課題】隣接チャンネルによる受信妨害が生じないテレビジョン受信装置およびテレビジョン受像機を提供する。  【解決手段】テレビジョン受信装置１のメモリ１６には、予め各チャンネルのチャンネル情報が記憶されている。チャンネル情報は、実際にテレビ放送を受信するチャンネルであるか否かの情報と電界強度の情報とからなる。電界強度の情報は、トランジスタ１７のオフ状態において、当該チャンネルが選局されているときのＡＧＣ電圧の大小から決められる。あるチャンネルが選局されたときに、当該チャンネルが隣接チャンネルによる受信妨害を受けるか否かを両チャンネルのチャンネル情報に基づいてマイコン１５が判定し、受信妨害を受けると判定した場合は、トランジスタ１７をオン状態にする。この結果、信号処理ＩＣ１４から出力されるＡＧＣ電圧が下がり、チューナ１２の出力利得も低下する。【選択図】  図１
2006270693.tif 000002
【特許請求の範囲】
【請求項１】
複数のチャンネル周波数に応じたテレビ放送信号を選択受信するとともに出力利得を制御可能な選局受信手段と、各チャンネルのテレビ放送信号の信号レベルに応じたＡＧＣ電圧を発生するＡＧＣ電圧発生手段と、を備え、ＡＧＣ電圧によって前記出力利得を制御するとともに、前記選局受信手段で選局されたチャンネルのテレビ放送の映像および音声を出力するテレビジョン受像機において、
各チャンネルが現実の放送チャンネルであるか否を表す第１情報と当該放送チャンネルのＡＧＣ電圧に係る第２情報とを対応付けてチャンネルごとに記憶する記憶部と、
前記選局受信手段で選局された選局チャンネルの受信信号が隣接チャンネルの信号による受信妨害を受けるか否かを、前記記憶部に記憶された隣接チャンネルの第１情報と選局チャンネルおよび隣接チャンネルの第２情報とに基づいて判定する判定手段と、
前記判定手段が受信妨害を受けると判定したときに、前記選局受信手段の出力利得が低下するように前記ＡＧＣ電圧発生手段を制御する制御手段と、を備えることを特徴とするテレビジョン受像機。
【請求項２】
複数のチャンネル周波数に応じたテレビ放送信号を選択受信するとともに出力利得を制御可能な選局受信手段を備え、当該選局受信手段で選局されたチャンネルのテレビ放送の映像信号および音声信号を出力するテレビジョン受信装置において、
各チャンネルが現実の放送チャンネルであるか否を表す第１情報と当該放送チャンネルの受信信号の信号レベルを表す第２情報とを対応付けてチャンネルごとに予め求めておき、
前記選局受信手段で選局された選局チャンネルの受信信号が隣接チャンネルの信号による受信妨害を受けるか否かを、予め求められた隣接チャンネルの第１情報と選局チャンネルおよび隣接チャンネルの第２情報とに基づいて判定し、受信妨害を受けると判定した場合は、前記選局受信手段の出力利得を低下させることを特徴とするテレビジョン受信装置。
【請求項３】
請求項２に記載のテレビジョン受信装置において、
前記第２情報は、前記選局受信手段で選択受信された現実の放送チャンネルの受信信号の信号レベルに応じて生成されたＡＧＣ電圧に係る情報であることを特徴とするテレビジョン受信装置。
【発明の詳細な説明】
【技術分野】
【０００１】
本発明は、テレビジョン受信装置および当該装置を組み込んだテレビジョン受像機における隣接チャンネルの信号による受信妨害の除去に関する。
【背景技術】
【０００２】
テレビジョン受信装置では、チャンネル間で放送電波の強弱があっても映像のコントラストや音声の音量が変動しないようにＡＧＣ制御が行われる。ところで、ユーザがリモコンで選択したチャンネル（以下、選局チャンネルという）と、前後のチャンネル（以下、隣接チャンネルという）とでは放送電波の周波数が近いため、選局チャンネルの受信信号が隣接チャンネルの信号の影響を受け、映像や音声にノイズが入ることがある。そこで、チューナの後段側にバンドパスフィルタとしてのＳＡＷフィルタを設けて隣接チャンネルの信号を除去するようにする。しかしながら、理想的な特性のＳＡＷフィルタは存在しないし、理想に近い特性のＳＡＷフィルタは高価である。しかも、全ての受信地域で実際に放送されているテレビ放送のチャンネル同士が隣接するわけではなく、必ずしも選局チャンネルが受信妨害を受けるわけではないので、ＳＡＷフィルタとして安価な普通程度のフィルタ特性のものが使用される。このため、テレビ放送のチャンネル同士が隣接する場合には、隣接チャンネルの信号を完全に除去することができず、上記の受信妨害をなくすことができない。
【０００３】
そこで、下記の特許文献１では、以下のようにして隣接チャンネルによる受信妨害をなくすことが提案されている。まず、リモコンでチャンネルプリセットの指示が行われたときに、各チャンネルの受信信号から同期信号を検出できるか否かに基づいて、当該チャンネルが現実の放送チャンネル（実際にテレビ放送が放送されているチャンネルのこと）であるか否かを判定し、判定結果をメモリに保存する。そして、放送番組を視聴する場合、メモリの内容から隣接チャンネルが現実の放送チャンネルであると判定したときは、チューナ部の出力利得を低下させて隣接チャンネルの信号を小さくすることで、受信妨害をなくすようにしている。
【０００４】
また、下記の特許文献２には、無線選択呼出受信機や無線受信機におけるＡＧＣ機能の制御に関するものであるが、自己のチャンネルと他の２つの所定の関係にあるチャンネルとの間で相互変調妨害が起きる条件が成立しているときは、ＡＧＣ回路を動作させて相互変調妨害を低減し、上記条件が成立していないときは、ＡＧＣ回路を動作させないようにして受信感度の劣化を防止することが提案されている。
【特許文献１】特開平１１−２４３３２２号公報（段落０００１〜００３５）
【特許文献２】特開平１１−１４５８５８号公報（要約、段落０００１〜０００７、段落００１５〜００３８）
【発明の開示】
【発明が解決しようとする課題】
【０００５】
しかしながら、特許文献１に示されるものにおいては、隣接チャンネルの放送信号の信号レベルが小さくて実際には受信妨害が発生しないようなときでも、チューナ部の出力利得が低下する。このため、映像出力および音声出力が低下するという問題や、受信信号のＳ／Ｎ比が悪化するという問題が生じる。また、特許文献２のものは、相互変調妨害が起きる条件が成立していないときにはＡＧＣ回路を動作させないようにしているので、ＡＧＣ制御を行うテレビジョン受信装置では採用できない。
【０００６】
本発明は、上記問題点を解決するものであって、その課題とするところは、隣接チャンネルによる受信妨害が生じないテレビジョン受信装置およびテレビジョン受像機を提供することにある。
【課題を解決するための手段】
【０００７】
第１の発明に係るテレビジョン受像機は、複数のチャンネル周波数に応じたテレビ放送信号を選択受信するとともに出力利得を制御可能な選局受信手段と、各チャンネルのテレビ放送信号の信号レベルに応じたＡＧＣ電圧を発生するＡＧＣ電圧発生手段と、を備え、ＡＧＣ電圧によって出力利得を制御するとともに、選局受信手段で選局されたチャンネルのテレビ放送の映像および音声を出力するテレビジョン受像機において、各チャンネルが現実の放送チャンネルであるか否を表す第１情報と当該放送チャンネルのＡＧＣ電圧に係る第２情報とを対応付けてチャンネルごとに記憶する記憶部と、選局受信手段で選局された選局チャンネルの受信信号が隣接チャンネルの信号による受信妨害を受けるか否かを、記憶部に記憶された隣接チャンネルの第１情報と選局チャンネルおよび隣接チャンネルの第２情報とに基づいて判定する判定手段と、判定手段が受信妨害を受けると判定したときに、選局受信手段の出力利得が低下するようにＡＧＣ電圧発生手段を制御する制御手段と、を備える。
【０００８】
ここで、上記の選局受信手段は実施形態に示すチューナに相当するものであり、ＡＧＣ電圧発生手段は実施形態に示すＡＧＣ電圧発生回路に相当するものであり、判定手段は実施形態に示すマイコンに相当するものであり、制御手段は実施形態に示すマイコンおよびトランジスタなどに相当するものである。また、ＡＧＣ電圧に係る情報は、例えばＡＧＣ電圧の値や、ＡＧＣ電圧を高・中・低にランク分けしたランク情報などである。
【０００９】
このようにすることで、選局チャンネルの受信信号が隣接チャンネルの信号による受信妨害を受ける場合には、選局受信手段の出力利得が低下して隣接チャンネルの信号が小さくなり、当該信号が選局受信手段の後段側に設けたＳＡＷフィルタなどによって完全に（問題が生じない程度まで）除去されるので、テレビジョン受像機から出力される映像または音声に受信妨害によるノイズが出なくなる。また、隣接チャンネルが実際の放送チャンネルであるか否かだけではなく、当該放送チャンネルおよび選局チャンネルのＡＧＣ電圧に係る情報にも基づいて選局チャンネルが受信妨害を受けるか否かを判定しているので、隣接チャンネルが実際の放送チャンネルであっても、当該放送チャンネルの信号の信号レベルが小さくて実際には受信妨害を与えないような場合には、選局チャンネルは受信妨害を受けないと判定され、選択受信手段の出力利得が低下しない。これにより、選局チャンネルの映像出力および音声出力の低下や受信信号のＳ／Ｎ比の悪化を防止することができる。つまり、特許文献１での問題を解決することができる。
【００１０】
第２の発明に係るテレビジョン受信装置は、複数のチャンネル周波数に応じたテレビ放送信号を選択受信するとともに出力利得を制御可能な選局受信手段を備え、当該選局受信手段で選局されたチャンネルのテレビ放送の映像信号および音声信号を出力するテレビジョン受信装置において、各チャンネルが現実の放送チャンネルであるか否を表す第１情報と当該放送チャンネルの受信信号の信号レベルを表す第２情報とを対応付けてチャンネルごとに予め求めておき、選局受信手段で選局された選局チャンネルの受信信号が隣接チャンネルの信号による受信妨害を受けるか否かを、予め求められた隣接チャンネルの第１情報と選局チャンネルおよび隣接チャンネルの第２情報とに基づいて判定し、受信妨害を受けると判定した場合は、選局受信手段の出力利得を低下させる。
【００１１】
ここで、上記の選局受信手段は実施形態に示すチューナに相当するものである。また、放送チャンネルの受信信号のレベルを表す情報とは、例えばＡＧＣ電圧の値や、ＡＧＣ電圧を高・中・低にランク分けしたランク情報、アンテナ入力レベル（電界強度）の値などである。
【００１２】
このようにすることで、選局チャンネルの受信信号が隣接チャンネルの信号による受信妨害を受ける場合には、選局受信手段の出力利得が低下して隣接チャンネルの信号が小さくなり、当該信号が選局受信手段の後段側に設けたＳＡＷフィルタなどによって完全に（問題が生じない程度まで）除去されるので、テレビジョン受信装置から出力される映像信号または音声信号に含まれる受信妨害によるノイズがなくなる。また、隣接チャンネルが実際の放送チャンネルであるか否かだけではなく、当該放送チャンネルおよび選局チャンネルの受信信号の信号レベルを表す情報にも基づいて選局チャンネルが受信妨害を受けるか否かを判定しているので、隣接チャンネルが実際の放送チャンネルであっても、当該放送チャンネルの信号の信号レベルが小さくて実際には受信妨害を与えないような場合には、選局チャンネルは受信妨害を受けないと判定され、選択受信手段の出力利得が低下しない。これにより、選局チャンネルの映像出力および音声出力の低下や受信信号のＳ／Ｎ比の悪化を防止することができる。つまり、特許文献１での問題を解決することができる。
【００１３】
第２の発明の実施形態においては、第２情報は、選局受信手段で選択受信された現実の放送チャンネルの受信信号の信号レベルに応じて生成されたＡＧＣ電圧に係る情報である。ここで、ＡＧＣ電圧に係る情報は、ＡＧＣ電圧の値や、ＡＧＣ電圧を高・中・低にランク分けしたランク情報である。上記のＡＧＣ電圧はテレビジョン受信装置が元々備えている回路で生成されるので、余分な回路、例えば特許文献２に示される電界強度モニタ部などを設けなくても第２情報を求めることができる。
【発明の効果】
【００１４】
本発明によれば、選局チャンネルの受信信号が隣接チャンネルの信号による受信妨害を受けなくなる。さらに、隣接チャンネルが実際の放送チャンネルであっても、当該放送チャンネルの受信信号の信号レベルが小さくて実際には選局チャンネルが受信妨害を受けないような場合には、選択受信手段の出力利得が低下しないので、映像出力および音声出力の低下や受信信号のＳ／Ｎ比の悪化を防止することができる。
【発明を実施するための最良の形態】
【００１５】
図１は本発明に係るテレビジョン受信装置の構成を示し、図２はＡＧＣ電圧生成回路の構成を示す。このテレビジョン受信装置１は、図７に示すテレビジョン受像機５やＤＶＤレコーダ、ビデオテープレコーダなどに組み込まれる。チューナ１２は、アンテナ１１で受信したテレビ放送電波を選択受信し、選択したチャンネル(以下、選局チャンネルという）の受信信号を高周波増幅し、さらに周波数変換をして中間周波信号を出力する。不図示のリモコンでチャンネル切り換え操作が行われると、指定されたチャンネルデータがマイコン１５からチューナ１２に渡される。そして、チューナ１２が当該データにしたがって受信チャンネルを変更してチューナ１２内の同調回路を当該チャンネルのチャンネル周波数に同調させることにより、上記の選択受信が行われる。また、ＡＧＣ入力端子１２ａから入力されるＡＧＣ電圧の大小に応じて上述の高周波増幅の利得が変わる。すなわち、チューナ１２の出力利得はＡＧＣ電圧によって制御される。以下では、ＡＧＣ電圧が上がると出力利得が増加し、ＡＧＣ電圧が下がると出力利得が減少するものとする。
【００１６】
チューナ１２から出力される中間周波信号は、ＳＡＷフィルタ１３で中間周波信号に含まれる隣接チャンネルの信号が除去された後、信号処理ＩＣ１４に入力される。信号処理ＩＣ１４は、中間周波信号を増幅する中間周波増幅回路や、増幅した中間周波信号を音声信号と映像信号とに分ける回路、映像信号を検波する検波回路、ＡＧＣ電圧を生成するＡＧＣ電圧生成回路３０（図２）などを備える。そして、信号処理ＩＣ１４からは、上記の音声信号、検波回路の出力信号である映像検波信号、およびＡＧＣ電圧が出力される。このＡＧＣ電圧によってチューナ１２の出力利得を制御することにより、放送信号のＡＧＣ制御が行われる。
【００１７】
ＡＧＣ電圧生成回路３０は、図２に示すように、上記の映像検波信号をさらに積分するＡＧＣ検波回路３２とＡＧＣ増幅回路３１とからなる。ＡＧＣ増幅回路３１は、ＡＧＣ検波回路３２の出力信号からＡＧＣ電圧を生成して出力する。この場合、入力電圧（ＡＧＣ検波回路３２の出力信号の電圧）が低いとＡＧＣ電圧は高くなり、入力電圧が高いとＡＧＣ電圧は低くなる。また、ＡＧＣ電圧のレベルはＡＧＣ設定端子１４ｂの電圧によって決まる。定常状態では、当該電圧は正電圧（＋５Ｖ）を抵抗２０，２１で分圧した電圧である。抵抗２１の両端にはトランジスタ１７と抵抗１８，１９とからなる回路が接続されており、トランジスタ１７がオンすると、ＡＧＣ設定端子１４ｂの電圧が下がり、ＡＧＣ電圧も下がる。このようにして生成されたＡＧＣ電圧はＡＧＣ出力端子１４ａから出力され、チューナ１２およびマイコン１５のＡＧＣ入力端子１２ａ，１５ａに入力される。
【００１８】
マイコン１５は、ＣＰＵやＲＯＭ、ＲＡＭ、Ａ／Ｄ変換器などを備えており、ＡＧＣ入力端子１５ａからＡＧＣ電圧を入力し、出力端子１５ｂからトランジスタ１７のオン／オフ信号を出力する。また、チューナ１２の選局指示も行う。ＡＧＣ電圧はＡ／Ｄ変換器でデジタル信号に変換され、デジタル化したＡＧＣ電圧がテレビジョン受信装置１の制御データとして用いられる。また、マイコン１５に接続されたメモリ１６には、後述するチャンネル情報が記憶されている。このメモリ１６は、ＥＥＰＲＯＭやフラッシュメモリなどの不揮発性メモリである。
【００１９】
図３はアンテナ入力レベル（単位はｄＢμＶ）とＡＧＣ電圧（単位はＶ）との関係を示し、図４は図３をグラフ化したものである。このアンテナ入力レベルおよびＡＧＣ電圧は、図１のテレビジョン受信装置１で実際に計測されたものである。ＡＧＣ電圧については、トランジスタ１７がオンおよびオフのときのＡＧＣ電圧、Ｓ／Ｎリミット、ならびにＳＹＮＣリミットが図示されている。上述のようにトランジスタ１７がオンするとＡＧＣ電圧が下がることが図からも分かる。Ｓ／Ｎリミットは、チューナ１２の出力利得が小さく、このためＳ／Ｎ比が悪化してノイズの影響が映像に現われるときのＡＧＣ電圧、すなわちＡＧＣ電圧の許容範囲の下限値である。ＳＹＮＣリミットは、上記出力利得が大きくて同期信号のクリッピングが問題となるときのＡＧＣ電圧、すなわちＡＧＣ電圧の許容範囲の上限値である。但し、トランジスタ１７のオン／オフにかかわらずＡＧＣ電圧がＳ／ＮリミットまたはＳＹＮＣリミットを越えないように抵抗１９〜２１の値が決められている。
【００２０】
ここではアンテナ入力レベルが６５ｄＢμＶ以下（トランジスタ１７がオフ状態でのＡＧＣ電圧が３．０Ｖ以上）のときを電界強度「低」とし、当該レベルが６５〜８０ｄＢμＶ（当該ＡＧＣ電圧が２．５〜３．０Ｖ）のときを電界強度「中」とし、当該レベルが８０ｄＢμＶ以上（当該ＡＧＣ電圧が２．５以下）のときを電界強度「高」としている。尚、上記区分（ランク）の境界値はアンテナ１１やチューナ１２の特性に応じて変り、ＡＧＣ電圧もＡＧＣ電圧生成回路３０の構成によって変化するので、アンテナ入力レベルおよびＡＧＣ電圧の絶対的な値自体は特別な意味を持たない。また、図４に示すように、アンテナ入力レベルとＡＧＣ電圧とは一定の関係にあるので、アンテナ入力レベル、上記の電界強度の高・中・低、およびＡＧＣ電圧は、チューナ１２で受信された受信信号の信号レベルを表すものといえる。
【００２１】
上述のように、チユーナ１２の後段側に設けたＳＡＷフィルタ１３で隣接チャンネルの信号を除去するようにしている。しかし、ＳＡＷフィルタ１３は普通程度のフィルタ特性のものであるので、隣接チャンネルの信号を除去するというものの、完全に除去することはできない。そこで、本発明では、選局チャンネルの受信信号が隣接チャンネルの信号によって受信妨害を受けるとマイコン１５が判定したときは、マイコン１５がトランジスタ１７をオンさせる。トランジスタ１７がオンすると、ＡＧＣ電圧が下がり、チューナ１２の出力利得も低下するので、隣接チャンネルの信号が小さくなってＳＡＷフィルタ１３で完全に（問題が生じない程度まで、すなわち映像出力または音声出力に受信妨害によるノイズが出なくなる程度まで）除去され、選局チャンネルの受信信号が受信妨害を受けなくなる。この場合、信号処理ＩＣ１４から出力される音声信号および映像検波信号の信号レベルも低下するが、この低下によって聴覚的および視覚的に影響が出ない程度にＡＧＣ電圧が下げられる。上記の判定に用いられるチャンネル情報について以下に説明する。
【００２２】
図５はメモリ１６に記憶されたチャンネル情報を示す。図において、「ＣＨ」はチャンネルの番号を示し、「放送チャンネルＹＥＳ」は当該チャンネルが現実の放送チャンネル（実際にテレビ放送が行われているチャンネルのこと）であることを表し、「ＮＯ」は当該チャンネルが現実の放送チャンネルではないことを表す。この「ＹＥＳ」、「ＮＯ」の情報は、本発明における第１情報に相当する。また、「電界強度の高・中・低」は、アンテナ入力レベルに基づいて決められた上述の受信レベルの区分を表す。この区分情報は、本発明における第２情報に相当する。図５では、チャンネル２，４〜６，８が現実の放送チャンネルであり、チャンネル１，３，７が空きチャンネルである。また、チャンネル２の電界強度は［高」である。ここでは電界強度の高・中・低をメモリ１６に記憶させているが、ＡＧＣ電圧を記憶させ、チャンネル情報の使用時に当該ＡＧＣから電界強度の高・中・低を求めるようにしてもよい。
【００２３】
次に、上記のチャンネル情報をメモリ１６に記憶させるチャンネルプリセット処理について説明する。不図示のリモコンでチャンネルプリセット処理の指示が行われると、マイコン１５がチャンネルプリセット処理を開始する。チャンネルプリセット処理では、マイコン１５はトランジスタ１７をオフ状態にし、チューナ１２の選局するチャンネルを連続的に変えつつ、各チャンネルに関する情報、すなわちチャンネル情報をメモリ１６に書き込む。この場合、マイコン１５は、各チャンネルの受信信号から同期信号の検出を試みる。同期信号を検出できたときは、当該チャンネルは現実の放送チャンネルであると判定し、判定結果（ＹＥＳ）をメモリ１６に書き込む。同期信号を検出できなかったときは、当該チャンネルは現実の放送チャンネルではないと判定し、判定結果（ＮＯ）をメモリ１６に書き込む。
【００２４】
さらに、当該チャンネルが現実の放送チャンネルである場合には、マイコン１５は、当該チャンネルでのＡＧＣ電圧から求めた電界強度の高・中・低のデータもメモリ１６に書き込む。ここでは、図４に示すように、トランジスタ１７がオフ状態でのＡＧＣ電圧が２．５Ｖ以下のときを電界強度「高」とし、当該ＡＧＣ電圧が２．５〜３．０Ｖのときを電界強度「中」とし、当該ＡＧＣ電圧が３．０Ｖ以上のときを電界強度「低」としている。このようにして、各チャンネルのチャンネル情報がメモリ１６に書き込まれる。尚、上記のＡＧＣ電圧は、マイコン１５内部のＡ／Ｄ変換器でデジタル化されたものである。
【００２５】
次に、テレビジョン受信装置１の動作について説明する。以下では、チャンネル情報は既にメモリ１６に記憶されているものとして説明する。電源の投入時、あるいはリモコンでチャンネルの切り換え操作が行われたときに、選局するチャンネルのチャンネルデータがマイコン１５からチューナ１２に送られ、当該チャンネルの放送信号がチューナ１２で選択受信される。次に、マイコン１５は、選局チャンネルのチャンネル情報、および隣接チャンネル（前後のチャンネル）のチャンネル情報をメモリ１６から読み出し、当該チャンネル情報と図６に示す判定ルールとに基づいてトランジスタ１７のオン／オフを決定する。図６において、隣接チャンネルの電界強度「０」は、２つの隣接チャンネルが共に現実の放送チャンネルではないことを示す。隣接チャンネルの電界強度「高」は、２つの隣接チャンネルの電界強度のうちで高い方の電界強度を示す。電界強度「中」および［低」についても同様である。
【００２６】
この判定ルールでは、選局チャンネルおよび隣接チャンネルの電界強度が共に「高」であるとき、および選局チャンネルの電界強度が隣接チャンネルの電界強度よりも低いとき、すなわち隣接チャンネルの信号により選局チャンネルの受信信号が受信妨害を受けるときは、マイコン１５がトランジスタ１７をオン状態にする。電界強度が共に「高」であるときにトランジスタ１７をオン状態にするのは、ＳＡＷフィルタ１３から出力される隣接チャンネルの信号の信号レベルは選局チャンネルの受信信号の信号レベルよりも十分に小さいが、絶対的な信号レベルが十分に小さいとはいえないからである。
【００２７】
それに対し、選局チャンネルおよび隣接チャンネルの電界強度が共に「高」ではなく、且つ選局チャンネルの電界強度が隣接チャンネルの電界強度と同じ、または選局チャンネルの電界強度が隣接チャンネルの電界強度よりも高いとき（隣接チャンネルが共に空きチャンネルであるときを含む）、すなわち隣接チャンネルの信号により選局チャンネルの受信信号が受信妨害を受けないときは、マイコン１５がトランジスタ１７をオフ状態にする。従って、図５に示すチャンネル情報がメモリ１６に記憶されている場合には、選局チャンネルが２，４または８であるときは、トランジスタ１７がオフ状態となり、選局チャンネルが５または６であるときは、トランジスタ１７がオン状態となる。
【００２８】
上記のように、選局チャンネルが隣接チャンネルによる受信妨害を受けるときは、トランジスタ１７がオン状態になり、ＡＧＣ電圧が下がり、チューナ１２の出力利得も低下する。この結果、隣接チャンネルの信号が小さくなり、選局チャンネルの受信信号が受信妨害を受けなくなる。一方、選局チャンネルが隣接チャンネルによる受信妨害を受けないときには、トランジスタ１７がオフ状態（定常状態）であり、ＡＧＣ電圧が下がらない。従って、上記出力利得も低下しないので、映像出力および音声出力の低下や受信信号のＳ／Ｎ比の悪化が防止される。しかも、隣接チャンネルが現実の放送チャンネルであっても、隣接チャンネルの電界強度が選局チャンネルの電界強度よりも低くて受信妨害が発生しない場合には、トランジスタ１７がオンしないので、映像出力および音声出力の低下や受信信号のＳ／Ｎ比の悪化が防止される。
【００２９】
図７は、図１のテレビジョン受信装置１を組み込んだテレビジョン受像機の構成を示す。このテレビジョン受像機５では、テレビジョン受信装置１から出力される音声信号に対して、音声信号処理部５１でＦＭ検波や増幅が行われ、スピーカ５２からテレビ放送の音声が出力される。また、テレビジョン受信装置１から出力される映像検波信号に対して、映像信号処理部５３で色差信号（またはＲ，Ｇ，Ｂ信号）や同期信号が抽出され、さらに色差信号および同期信号が表示駆動信号に変換される。そして、テレビ放送の映像が表示駆動信号によって液晶表示パネルなどの表示部５４に表示される。
【００３０】
以上述べた実施形態においては、トランジスタ１７のオン／オフの判定ルールの例を示したが、他の判定ルール、例えば図８に示す判定ルールを採用しても本発明を実施することができる。図６ではＡＧＣ電圧から導き出された電界強度の高・中・低に基づいて判定が行われたが、図８ではＡＧＣ電圧に基づいて判定が行われる。また、図８に示す所定値は、例えば２．５Ｖ（図４）である。この判定ルールが採用される場合には、電界強度の高・中・低のデータ（図５）に代えてＡＧＣ電圧の値がメモリ１６に記憶される。
【００３１】
また、上記実施形態では、ＡＧＣ電圧から導き出された電界強度の高・中・低に基づいてトランジスタ１７がオン／オフされたが、特許文献２に示されるように、テレビジョン受信装置１に電界強度モニタ部を設け、検出した電界強度に基づいてトランジスタ１７をオン／オフさせることもできる。但し、テレビ放送を受信するのに必須ではない電界強度モニタ部が必要となるため、テレビジョン受信装置１がコストアップする。さらに、上記実施形態では、ＡＧＣ電圧を映像検波信号から生成したが、他の信号、例えば音声信号の検波信号から生成するようにしても、本発明を実施することができる。
【００３２】
さらに、上記実施形態では、映像検波信号が大きくなるとＡＧＣ電圧が下がり、ＡＧＣ電圧が下がるとチューナ１２の出力利得も低下したが、映像検波信号が大きくなるとＡＧＣ電圧も上がり、ＡＧＣ電圧が上がると上記出力利得が低下するようにしてもよい。さらに、上記実施形態では、トランジスタ１７をオンさせることによりＡＧＣ電圧を下げるようにしたが、トランジスタ１７および抵抗１８〜２１の機能をも備えた信号処理ＩＣが用いられる場合には、マイコン１５の出力端子１５ｂの信号で当該信号処理ＩＣを制御することによりＡＧＣ電圧が下げられる。
【図面の簡単な説明】
【００３３】
【図１】本発明に係るテレビジョン受信装置の構成を示す図である。
【図２】ＡＧＣ電圧生成回路の構成を示す図である。
【図３】アンテナ入力レベルとＡＧＣ電圧との関係を示す図である。
【図４】図３をグラフ化した図である。
【図５】メモリに記憶されたチャンネル情報を示す図である。
【図６】トランジスタのオン／オフの判定ルールの例を示す図である。
【図７】テレビジョン受像機の構成を示す図である。
【図８】トランジスタのオン／オフの判定ルールの他の例を示す図である。
【符号の説明】
【００３４】
１    テレビジョン受信装置
５    テレビジョン受像機
１２  チューナ
１３  ＳＡＷフィルタ
１４  信号処理ＩＣ
１５  マイコン
１６  メモリ
１７  トランジスタ
１８〜２１  抵抗
３０  ＡＧＣ電圧生成回路
【図１】
2006270693.tif 000003
【図２】
2006270693.tif 000004
【図３】
2006270693.tif 000005
【図４】
2006270693.tif 000006
【図５】
2006270693.tif 000007
【図６】
2006270693.tif 000008
【図７】
2006270693.tif 000009
【図８】
2006270693.tif 000010